(57)【要約】【課題】ＨＤ  ＤＶＤ  ＶＲとＤＶＤ  ＶＲの両方のディスクに記録ができる録画再生装置において、双方のフォーマットに準拠したストリームを録画することができ、且つダビング時に、再エンコードなしのフォーマット変換が可能な録画再生装置および画像およびオーディオ信号記録方法を提供する。【解決手段】この発明の録画再生装置は、第２の規格の記録が可能な第２の記録媒体に、第１の規格の記録が可能な第１の記録媒体への転送あるいは移動が可能に記録された画像およびオーディオ信号が存在することをデータ構造の特定情報から検出する検出部（４０２）と、検出部により、第１の記録媒体への転送あるいは移動が可能に記録された画像およびオーディオ信号が存在することが検出された場合に、第１の規格の記録が可能な第１の記録媒体への転送あるいは移動が可能に記録された画像およびオーディオ信号を、再エンコードせずに第１の記録媒体に転送あるいは移動するデータ転送制御部（４０６）と、を有する。【選択図】図１
2008005045.tif 000002
【特許請求の範囲】
【請求項１】
第１の規格に従い画像およびオーディオ信号が記録可能な第１の記録媒体と、前記第１の規格よりも記録可能な情報量が高められた第２の規格に従い画像およびオーディオ信号が記録可能な第２の記録媒体と、を識別し、
前記第２の記録媒体には、前記第２の規格または前記第１の記録媒体への転送もしくは複写が可能に前記第１の規格に従い前記画像およびオーディオ信号を記録し、
前記第１の記録媒体には、前記第１の規格に従い前記画像およびオーディオ信号を記録する
ことを特徴とする
画像およびオーディオ信号記録方法。
【請求項２】
前記第２の記録媒体に、前記第１の記録媒体への転送もしくは複写が可能に前記第１の規格に従い記録された前記画像およびオーディオ信号は、デコードおよび再エンコードを必要とせずに、前記第１の記録媒体への転送もしくは複写が可能であることを特徴とする請求項１記載の画像およびオーディオ信号記録方法。
【請求項３】
前記第１の記録媒体への転送もしくは複写が可能に前記第１の規格に従い記録された前記画像およびオーディオ信号と前記第１の規格に従い記録された前記画像およびオーディオ信号は、データ構造のうちのＡｕｄｉｏ  Ｐａｃｋｅｔのｓｕｂ＿ｓｔｒｅａｍ＿ｉｄが異なることを特徴とする請求項２記載の画像およびオーディオ信号記録方法。
【請求項４】
前記第１の記録媒体への転送もしくは複写が可能に前記第１の規格に従い記録された前記画像およびオーディオ信号を前記第２の記録媒体から前記第１の記録媒体に転送または複写する際に、前記第１の規格に従い記録された前記画像およびオーディオ信号は、前記Ａｕｄｉｏ  Ｐａｃｋｅｔのｓｕｂ＿ｓｔｒｅａｍ＿ｉｄが書き換えられることを特徴とする請求項３記載の画像およびオーディオ信号記録方法。
【請求項５】
前記第１の記録媒体への転送もしくは複写が可能に前記第１の規格に従い記録された前記画像およびオーディオ信号を前記第２の記録媒体から前記第１の記録媒体に転送または複写する際に、前記第１の規格に従い記録された前記画像およびオーディオ信号は、前記Ａｕｄｉｏ  Ｐａｃｋｅｔ及びＳｕｂ−ｐｉｃｔｕｒｅＰａｃｋｅｔのＰ−ＳＴＤ＿ｂｕｆｆｅｒ＿ｓｉｚｅの値が書き換えられることを特徴とする請求項３記載の画像およびオーディオ信号記録方法。
【請求項６】
前記第１の記録媒体への転送もしくは複写が可能に前記第１の規格に従い記録された前記画像およびオーディオ信号を前記第２の記録媒体から前記第１の記録媒体に転送または複写する際に、前記第１の規格に従い記録された前記画像およびオーディオ信号は、データ構造のうちのＧＣＩが付加されたＲＤＩからＧＣＩが削除されることを特徴とする請求項３記載の画像およびオーディオ信号記録方法。
【請求項７】
前記第１の記録媒体への転送もしくは複写が可能に前記第１の規格に従い記録された前記画像およびオーディオ信号と前記第１の規格に従い記録された前記画像およびオーディオ信号は、データ構造のうちのＡｕｄｉｏ  Ｐａｃｋｅｔ及びＳｕｂ−ｐｉｃｔｕｒｅ  ＰａｃｋｅｔのＰ−ＳＴＤ＿ｂｕｆｆｅｒ＿ｓｉｚｅの値が異なることを特徴とする請求項２記載の画像およびオーディオ信号記録方法。
【請求項８】
前記第１の記録媒体への転送もしくは複写が可能に前記第１の規格に従い記録された前記画像およびオーディオ信号にはＧＣＩ  Ｐａｃｋが付加されたＲＤＩ  Ｐａｃｋが、前記第１の規格に従い記録された前記画像およびオーディオ信号には単独のＲＤＩ  Ｐａｃｋが、それぞれ、挿入されることを特徴とする請求項２記載の画像およびオーディオ信号記録方法。
【請求項９】
第１の規格に従う画像およびオーディオ信号が記録可能な第１の規格の光ディスクならびに前記第１の規格よりも記録可能な情報量が高められた第２の規格に従う画像およびオーディオ信号が記録可能な第２の規格の光ディスクに画像およびオーディオ信号を、それぞれの光ディスクの規格に対応させて記録するディスクドライブと、
前記第２の規格、前記第１の規格、もしくは前記第２の規格の中で前記第１の記録媒体への転送もしくは複写を可能とした前記第１の規格、のいずれかにおいて、前記画像およびオーディオ信号を記録する記録装置と、
前記記録装置に、前記第１の規格、もしくは前記第２の規格の中で前記第１の記録媒体への転送もしくは複写を可能とした前記第１の規格のいずれかにより記録されている画像およびオーディオ信号を、前記ディスクドライブを介して前記第１の規格の光ディスクに転送または移動させ、前記第１の規格、もしくは前記第２の規格の中で前記第１の記録媒体への転送もしくは複写を可能とした前記第１の規格、あるいは前記第２の規格のいずれかにより記録されている画像およびオーディオ信号を、前記ディスクドライブを介して前記第２の規格の光ディスクに転送または移動させるデータ制御部と、
を有することを特徴とする録画再生装置。
【請求項１０】
請求項１ないし請求項８のいずれか１項に記載の記録方法で用いられる前記請求項９の録画再生装置において、
前記第２の規格の記録が可能な前記第２の記録媒体に、前記第１の規格の記録が可能な前記第１の記録媒体への転送あるいは移動が可能に記録された前記画像およびオーディオ信号が存在することをデータ構造の特定情報から検出する検出部と、
前記検出部により、前記第１の記録媒体への転送あるいは移動が可能に記録された前記画像およびオーディオ信号が存在することが検出された場合に、前記第１の規格の記録が可能な前記第１の記録媒体への転送あるいは移動が可能に記録された前記画像およびオーディオ信号を、再エンコードせずに前記第１の記録媒体に転送あるいは移動するデータ転送制御部と、
を有する録画再生装置。
【発明の詳細な説明】
【技術分野】
【０００１】
この発明は、映像および音楽データを記録または再生可能な、記録再生装置（録画再生装置）に係り、特に異なる規格の記録媒体に、任意の規格で映像や音楽を記録可能な映像や音楽を記録し、再生できる録画再生装置および画像およびオーディオ信号記録方法に関する。
【背景技術】
【０００２】
映像や音楽を記録する記録装置として、ＤＶＤ規格の光ディスクにデジタル記録する、録画再生装置（デジタルレコーダ）が、既に、広く普及している。また、公衆向けテレビ放送においてもデジタル放送が開始されたことにともない、ＤＶＤ規格の光ディスクとの間の互換性を確保し、しかも高精細画質で映像を記録することが可能なＨＤ  ＤＶＤ規格の光ディスクが開発され、既に記録装置（ＨＤ  ＤＶＤレコーダ）も入手可能である。
【０００３】
なお、ＤＶＤディスク向けＤＶＤ−ＶＲフォーマットのデータに加え、ＨＤＤ（ハードディスク装置）向けデータをＤＶＤ−ＨＤＶＲフォーマットにより生成し、ＨＤＤまたはＤＶＤディスクにデータを記録する映像記録装置が提案されている（特許文献１）。
【特許文献１】特開２００４−３５７２７５
【発明の開示】
【発明が解決しようとする課題】
【０００４】
上記文献１に提案されたマルチフォーマットは、各種フォーマットに必要なパラメータを同時に生成して予め記録するもので、記録すべきデータの大きさが増大する。しかし、記録媒体の規格に合わせて最適なフォーマットを提供するものではなく、また、記録可能な記録媒体にＨＤ  ＤＶＤ規格の光ディスクが含まれることは、記載が無い。
【０００５】
この発明の目的は、用意された記録媒体の規格に従い、その記録媒体に適用可能な好適な規格のフォーマットで、データを記録することのできる録画再生装置および画像およびオーディオ信号記録方法を提供することである。
【課題を解決するための手段】
【０００６】
この発明は、上記問題点に基づきなされたもので、第１の規格に従い画像およびオーディオ信号が記録可能な第１の記録媒体と、前記第１の規格よりも記録可能な情報量が高められた第２の規格に従い画像およびオーディオ信号が記録可能な第２の記録媒体と、を識別し、前記第２の記録媒体には、前記第２の規格または前記第１の記録媒体への転送もしくは複写が可能に前記第１の規格に従い前記画像およびオーディオ信号を記録し、前記第１の記録媒体には、前記第１の規格に従い前記画像およびオーディオ信号を記録することを特徴とする画像およびオーディオ信号記録方法、を提供するものである。
【発明の効果】
【０００７】
以上説明した通り、この発明の実施の形態においては、ＨＤ  ＤＶＤ  ＶＲとＤＶＤ  ＶＲの両方のディスクに記録ができる録画再生装置において、双方のフォーマットに準拠したストリームを録画することができ、かつ、ダビング時に、再エンコードなしで、フォーマット変換することができる。
【発明を実施するための最良の形態】
【０００８】
以下、図面を参照して、この発明の実施の形態の一例を説明する。
【０００９】
図１は、この発明の一実施形態が適用可能な映像記録装置（デジタルレコーダ）の一例を概略的に示す。
【００１０】
図１に示すデジタルレコーダ（映像記録再生装置）１は、例えば、放送衛星または通信衛星を介して提供される衛星デジタルＴＶ放送、地表波（空間波）により提供される地上デジタル／アナログＴＶ放送の受信機能を持つＴＶチューナ部（ＴＶ  ｔｕｎｅｒ）１０を有し、チューナ部１０からの出力は、映像系アナログ−デジタルコンバータ（Ｖｉｄｅｏ  ＡＤＣ）１４およびオーディオ（音声／音楽）系アナログ−デジタルコンバータ（Ａｕｄｉｏ  ＡＤＣ）１６に入力される。外部入力端子（Ａｕｘ）１２からの入力信号もまた、Ｖｉｄｅｏ  ＡＤＣ１４およびＡｕｄｉｏ  ＡＤＣ１６に入力される。
【００１１】
Ｖｉｄｅｏ  ＡＤＣ１４でデジタル化されたビデオストリームおよびＡｕｄｉｏ  ＡＤＣ１６でデジタル化されたオーディオストリームは、ＭＰＥＧエンコーダ（ＭＰＥＧ  Ｅｎｃｏｄｅｒ）２０に入力される。外部デジタル入力端子１８からのデジタルストリーム（ＭＰＥＧ２−ＴＳ（ＴＳは、Ｔｒａｎｓｐｏｒｔ  Ｓｔｒｅａｍの略）等）は、ＩＥＥＥ１３９４（あるいはＨＤＭＩ）等のインタフェース（Ｉ／Ｆ，ｉｎｔｅｒｆａｃｅ）１９を介して、ＭＰＥＧ  Ｅｎｃｏｄｅｒ２０に入力される。
【００１２】
チューナ部１０に供給されたＴＶ放送信号がＭＰＥＧ２−ＴＳ等のデジタル信号である場合は、（チューナ部１０からのデジタルストリームは）そのまま、ＭＰＥＧ  Ｅｎｃｏｄｅｒ２０に入力される。ＭＰＥＧ  Ｅｎｃｏｄｅｒ２０は、入力されたＭＰＥＧ２−ＴＳをそのまま出力する（パススルー（Ｐａｓｓ  ｔｈｏｕｒｇｈ）する）場合以外は、入力されたストリームをＭＰＥＧ２−ＰＳにエンコードするか、ＭＰＥＧ４−ＡＶＣにエンコードする。
【００１３】
ＭＰＥＧ２−ＰＳにエンコードする場合としては、    
［ア］ＤＶＤ−ＶＲ規格に基づきＭＰＥＧ２−ＰＳ（ＰＳは、Ｐａｃｋｅｔｉｚｅｄ  Ｓｔｒｅａｍの略）にエンコードする場合（最大レート１０．０８Ｍｂｐｓ；最大解像度７２０ｘ４８０または７２０ｘ５７６）、    
［イ］ＨＤ＿ＤＶＤ−ＶＲ規格に基づきＭＰＥＧ２−ＰＳに、高レートエンコードする場合（最大レート３０．２４Ｍｂｐｓ；最大解像度１９２０ｘ１０８０）、    
［ウ］ＨＤ＿ＤＶＤ−ＶＲ規格内で、ＭＰＥＧ２−ＰＳに低レートエンコードする場合（最大レート１０．０８Ｍｂｐｓ；最大解像度７２０ｘ４８０または７２０ｘ５７６）がある。
【００１４】
ＭＰＥＧ  Ｅｎｃｏｄｅｒ２０においてエンコード（またはパススルー）されたストリームデータは、高速メモリ、例えばＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）２２等に一旦バッファリングされる。
【００１５】
ＳＤＲＡＭ２２においては、    
［１］ＡｕｄｉｏがＬｉｎｅｒ  ＰＣＭ（リニアＰＣＭ）である場合、（図１４および図１７を用いて後段に説明する）データ構造のＡｕｄｉｏ  Ｐａｃｋのｓｕｂ＿ｓｔｒｅａｍ＿ｉｄの値を書き換える、    
［２］（図３〜図１５を用いて後段に説明する）データ構造／パラメータのうちのＲＤＩ−ＰＫＴの記載内容（形態）を書き換える（単独の「ＲＤＩ−ＰＫＴ」と「ＧＣＩ−ＰＫＴ」が付属した「ＲＤＩ−ＰＫＴ」とを、相互に交換する）、    
［３］ＣＰＲＭ（ＤＶＤ規格の光ディスクにおいて、１回のみ記録が許可されている場合のコピーマネジメントの規格）により暗号されているデータを復号し、ＡＡＣＳ（ＨＤ  ＤＶＤ規格の光ディスクにおいて、記録が許可されている場合のコピーマネジメントの規格）に再暗号化する、もしくはその逆の復号と再暗号化    
により規定されるストリームの書き換え（フォーマット変換）が実行される。
【００１６】
ＳＤＲＡＭ２２にバッファリングされ、そこで処理されたストリームデータは、その内容に応じて、所定のタイミングで、ＨＤＤ１０４、ディスクドライブユニット２４もしくはメモリスロット２６に転送される。ＨＤＤ１０４は、ＨＤＤ（すなわちハードディスクドライブであり、例えば１ＴＢ（１０００ＧＢ））の容量が与えられているＨＤ（ハードディスク）を含む。ディスクドライブユニット（Ｄｉｓｋ  Ｄｒｉｖｅ  Ｕｎｉｔ）２４は、円盤状の記録媒体であって、ＨＤ  ＤＶＤ規格（再生専用で１５ＧＢ、記録可能で２０ＧＢ）の光ディスク１００やＤＶＤ規格（４．５ＧＢ）の光ディスク１０２にデータ（ストリーム）を記録可能で、かつ既に記録されているデータ（ストリーム）を再生可能である。なお、ディスクドライブユニット２４としては、回転駆動系を含めて（ＤＶＤ用およびＨＤ  ＤＶＤ用のそれぞれが）独立の２基のドライブ、回転駆動系が共通で、青色レーザ（例えば波長λ＝４０５ｎｍ）を利用する光ヘッドと赤色レーザ（例えば波長λ＝６５５ｎｍ）を利用する光ヘッドを個別に有するＨＤ＿ＤＶＤ／ＤＶＤコンパチブルドライブ、もしくは回転駆動系および光ヘッドの機構が共通で青色レーザまたは赤色レーザを切り換えて使用する２波長光学系を有するＨＤ＿ＤＶＤ／ＤＶＤコンパチブルドライブ、の何れかが組み込まれる。また、組み込まれているドライブタイプに拘わりなく、記録媒体としては、青色レーザ用光ディスク１００および赤色レーザ用光ディスク１０２のそれぞれのうちの、−Ｒ（一回のみ記録可能）／−ＲＷ（書き換え可能）／ＲＡＭ（書き換え可能）規格の光ディスクの他に、＋Ｒ（記録速度が向上された一回のみ記録可能）や＋ＲＷ（−Ｒ向け装置での再生が可能）の光ディスクも利用可能である。なお、それぞれの光ディスクには、既に片面２層タイプや両面タイプが用意されており、それらの光ディスクへの記録およびデータの再生が可能である。また。将来的には、ホログラムを利用した大容量光ディスクを用いることも可能である。なお、メモリスロット２６には、例えば２ＧＢ程度の容量が与えられたカードメモリ１０６が挿入されて、用いられる。
【００１７】
このように、ディスクドライブユニット２４は、ＨＤ＿ＤＶＤ−ＶＲ規格に基づく記録および再生、ＤＶＤ−ＶＲ規格に基づく記録および再生が可能である。なお、用意された記録媒体がＤＶＤ規格の光ディスク１０２である場合に、「ＨＤ＿ＤＶＤ−ＶＲ規格に基づきエンコードされたデータであっても、最大レートやビデオ属性等がＤＶＤ−ＶＲ規格の枠内に収まるＭＰＥＧ−ＰＳのデータ」については、ＤＶＤ−ＶＲ規格の任意のタイプのディスク（片面１層のＤＶＤ−Ｒ／ＲＷ／ＲＡＭ、片面２層のＤＶＤ−Ｒ、両面各１層のＤＶＤ−ＲＡＭ）のいずれについても、等速または高速で記録（コピーまたはムーブ）が可能である。
【００１８】
具体例としては、ＨＤＤ１０４に記録されているデータが、最大レート１０．０８ＭｂｐｓでＮＴＳＣのビデオのＭＰＥＧ２−ＰＳデータである場合には、ＨＤ＿ＤＶＤ−ＶＲ規格でエンコードされたデータであっても、ＤＶＤ−ＶＲ規格のディスク１０２に、高速コピー／高速ダビングできる。言うまでもないが、ＨＤ＿ＤＶＤ−ＶＲ規格でエンコードされたＭＰＥＧ２−ＰＳデータは、ＨＤ＿ＤＶＤ−ＶＲ規格のディスク１００へも、高速コピー／高速ダビングできる。
【００１９】
なお、このことは、ＨＤＤ１０４に記録されるデータ構造が、図２を用いて後段に説明するが、ＤＶＤ＿ＨＤＶＲディレクトリが、ＨＤ＿ＤＶＤ−ＶＲフォーマットの管理情報ファイルであるＨＲ＿ＭＡＮＧＥＲ．ＩＦＯ、アナログビデオ入力のオブジェクトファイルであるＶＲＯファイル（最大レートが３０．２４Ｍｂｐｓまで許されたＥＶＯＢファイル）を含むＨＤＶＲ＿ＶＯＢディレクトリ、デジタル放送対応用のＳＲＯファイル（ＥＳＯＢファイル）を含むＨＤＶＲ＿ＳＯＢディレクトリ等を含み、ＤＶＤ＿ＨＤＶＲディレクトリと同じルートディレクトリ下のＤＶＤ＿ＲＴＡＶディレクトリは、ＤＶＤ−ＶＲフォーマットの管理情報ファイルであるＶＲ＿ＭＡＮＧＥＲ．ＩＦＯ、アナログビデオ入力のオブジェクトファイルであるＶＲＯファイル（最大レートが１０．０８Ｍｂｐｓに抑えられた従来ＤＶＤ−ＶＲのＶＯＢファイル）等を含むことにより実現される（この実施の形態に係るファイル構造では、ＨＤＶＲのＭＰＥＧ２−ＴＳデータファイルもＨＤＶＲのＭＰＥＧ２−ＰＳデータファイルもＶＲのＭＰＥＧ２−ＰＳデータファイルも同じルートディレクトリ下でファイル管理されている）。
【００２０】
ディスクドライブユニット２４および／またはＨＤＤ１０４もしくはメモリスロット２６を介して、光ディスク１００または１０２、ＨＤ（ＨＤＤ内）またはカードメモリ１０６から再生されたストリームデータは、ＳＤＲＡＭ２２を経由して、ＭＰＥＧデコーダ（ＭＰＥＧ  Ｄｅｃｏｄｅｒ）３０に転送される。ＭＰＥＧ  Ｄｅｃｏｄｅｒ３０は、転送されてきたストリームに応じ、ＭＰＥＧ２−ＴＳ、ＭＰＥＧ２−ＰＳまたはＭＰＥＧ４−ＡＶＣをデコード可能である。ＭＰＥＧ  Ｄｅｃｏｄｅｒ３０はまた、例えばＨＤ＿ＤＶＤ−ＶＲ規格で定められているＶＣ−１をデコードできる。
【００２１】
ＭＰＥＧ  Ｄｅｃｏｄｅｒ３０でデコードされたビデオデータ（ＭＰＥＧ２−ＴＳまたはＭＰＥＧ２−ＰＳ）は、映像系デジタル−アナログコンバータ（Ｖｉｄｅｏ  ＤＡＣ）３２により標準画質または高精細画質のアナログビデオ信号に変換され、ビデオ出力（Ｖｉｄｅｏ  Ｏｕｔ）端子３６に供給される。なお、ビデオ出力端子３６とモニタ装置５２を接続することで、（モニタ装置５２に）映像が表示される。
【００２２】
一方、ＭＰＥＧ  Ｄｅｃｏｄｅｒ３０でデコードされたオーディオデータは、オーディオ（音声／音楽）系デジタル−アナログコンバータ（Ａｕｄｉｏ  ＤＡＣ）３４によりアナログオーディオ信号に変換され、オーディオ（音声）出力（Ａｕｄｉｏ  Ｏｕｔ）端子３８に供給される。なお、オーディオ出力端子３８とスピーカ（モニタ装置５２に内蔵されている場合や独立している場合がある）を接続することで、音声あるいは音楽が再生される。
【００２３】
なお、ＭＰＥＧ  Ｄｅｃｏｄｅｒ３０に供給されたデータがＭＰＥＧ２−ＴＳの場合は、ＩＥＥＥ１３９４（またはＨＤＭＩ）等のインタフェース３７を経由して、そのままデジタル出力（Ｄｉｇｉｔａｌ  Ｏｕｔ）端子３９に供給される。
【００２４】
また、図１に示した録画再生装置（ＨＤ＿ＤＶＤレコーダ）は、ＭＰＵ４０により制御される。ＭＰＵ４０は、ファームウエアや種々な制御パラメータを格納するＥＥＰＲＯＭ４２、ワークＲＡＭ４４、タイマ４６等が付属している。ＭＰＵ４０のファームウエアのとしては、例えばグラフィカルユーザインタフェース（ＧＵＩ）を提供するＧＵＩ表示制御部４００、エンコードパラメータ検出処理部４０２、高速コピー（高速ダビング）処理部４０４、レート変換コピー（等速コピー／等速ダビング）制御部４０６、記録／再生制御部（管理情報処理部）等を含む。ＧＵＩ表示制御部４００による処理結果は、オンスクリーン表示制御部（ＯＳＤ）５０を介して、モニタ装置５２に供給される（タイトルサムネールの表示画面５２ａ、コピー処理時のダイアログボックス表示画面５２ｂ等はＯＳＤ５０による処理結果が、先に説明したビデオ出力端子３６から供給される映像出力に重ね合わせられて表示される。
【００２５】
なお、ＨＤＤ１０４については、１台の超大容量ＨＤＤ（例えば１ＴＢ）でも、複数の大容量ＨＤＤの併用（例えば５００ＧＢ＋５００ＧＢ）でもよい。また、ＨＤＤ１０４の記録エリアの使い方としては、その記録エリアを、論理的に複数パーティションに分けて使用する場合と、物理的なＨＤＤ毎に用途を特定する場合がある。前者の場合としては、例えば１ＴＢのうち４００ＧＢの第１パーティションをデジタル高精細放送のＭＰＥＧ２−ＴＳ記録用（ＴＳタイトル用）に割り当て、４００ＧＢの第２パーティションをデジタル高精細放送のＭＰＥＧ４−ＡＶＣ記録用（ＨＤＶＲタイトル用）に割り当て、２００ＧＢの第３パーティションをアナログ放送またはデジタル放送もしくは外部入力のＭＰＥＧ２−ＰＳ記録用（ＶＲタイトル用）に割り当てるなどが考えられる。また、後者の場合としては、例えば第１の４００ＧＢＨＤＤをＭＰＥＧ２−ＴＳ記録用（ＴＳタイトル用）に割り当て、第２の４００ＧＢＨＤＤをＭＰＥＧ４−ＡＶＣ記録用（ＨＤＶＲタイトル用）に割り当て、第３の２００ＧＢＨＤＤをＭＰＥＧ２−ＰＳ記録用（ＶＲタイトル用）に割り当てるなどが考えられる。
【００２６】
なお、この発明の一実施の形態では、ＶＲタイトルには、現行のＤＶＤ−ＶＲ規格によるＭＰＥＧ２−ＰＳ記録の他、図２の説明で説明するが、ＨＤ＿ＤＶＤ規格において最大レートを１０．０８Ｍｂｐｓに抑えたＭＰＥＧ２−ＰＳ記録も含まれる。例えば、１つのＶＲタイトルのストリームデータが、「ＤＶＤ−ＶＲ規格によるＭＰＥＧ２−ＰＳ」なのか「ＨＤ＿ＤＶＤ規格において最大レートを１０．０８Ｍｂｐｓに抑えたＭＰＥＧ２−ＰＳ」なのかの区別は、オブジェクトデータレベルでは、例えば図１１に示すデータ構造のうちのＰａｃｋ  ｈｅａｄｅｒの記述内容のうちのｐｒｏｇｒａｍ＿ｍｕｘ＿ｒａｔｅの内容が１０．０８Ｍｂｐｓであるか３０．２４Ｍｂｐｓであるかを検出する（読み取る）ことで、識別できる。また、管理情報レベルでは、そのタイトルの再生開始前に、例えば図７に示すデータ構造のＶ＿ＡＴＲが、ＤＶＤ−ＶＲ規格ではあり得ない解像度（例えば１２８０ｘ１０８０）を含んでいるか否かを検出する（読み取る）ことで識別できる。
【００２７】
換言すると、記録時において、「ＤＶＤ−ＶＲ規格によるＭＰＥＧ２−ＰＳ」と「ＨＤ＿ＤＶＤ規格において最大レートを１０．０８Ｍｂｐｓに抑えたＭＰＥＧ２−ＰＳ」とを識別可能に、管理情報レベルでは、図７のＶ＿ＡＴＲに「１２８０ｘ１０８０」を含ませる（記述する）ことで、ＨＤ  ＤＶＤ−ＶＲモードによる（データ）記録であることを、再生時の識別情報として持たせることができる。同様に、図１１に示すデータ構造のうちのＰａｃｋ  ｈｅａｄｅｒの記述内容のうちのｐｒｏｇｒａｍ＿ｍｕｘ＿ｒａｔｅの内容を３０．２４Ｍｂｐｓとすることで、ＨＤ  ＤＶＤ−ＶＲモードによる（データ）記録であることを、再生時の識別情報として持たせることができる。
【００２８】
図２は、この発明の一実施の形態に係るファイル構造を説明する図である。ＤＶＤ＿ＨＤＶＲディレクトリは、図２に示すように、ＨＤ＿ＤＶＤ−ＶＲフォーマットの管理情報ファイルであるＨＲ＿ＭＡＮＧＥＲ．ＩＦＯ、アナログビデオ入力のオブジェクトファイルであるＶＲＯファイル（最大レートが３０．２４Ｍｂｐｓまで許されたＥＶＯＢファイル）を含むＨＤＶＲ＿ＶＯＢディレクトリ、デジタル放送対応用のＳＲＯファイル（ＥＳＯＢファイル）を含むＨＤＶＲ＿ＳＯＢディレクトリ等を含んで構成されている。また、ＤＶＤ＿ＨＤＶＲディレクトリと同じルートディレクトリ下のＤＶＤ＿ＲＴＡＶディレクトリは、ＤＶＤ−ＶＲフォーマットの管理情報ファイルであるＶＲ＿ＭＡＮＧＥＲ．ＩＦＯ、アナログビデオ入力のオブジェクトファイルであるＶＲＯファイル（最大レートが１０．０８Ｍｂｐｓに抑えられた従来ＤＶＤ−ＶＲのＶＯＢファイル）等を含んで構成されている。
【００２９】
つまり、この実施の形態に係るファイル構造では、ＨＤＶＲのＭＰＥＧ２−ＴＳデータファイルもＨＤＶＲのＭＰＥＧ２−ＰＳデータファイルもＶＲのＭＰＥＧ２−ＰＳデータファイルも同じルートディレクトリ下でファイル管理されている。例えば、ＨＲ＿ＭＯＶＩＥ．ＶＲＯにリンクされたショートカットファイルをタイトルサムネールＡ、Ｃとし、ＶＲ＿ＭＯＶＩＥ．ＶＲＯにリンクされたショートカットファイルをタイトルサムネールＢとし、ＨＲ＿ＳＴＲｎｎ．ＳＲＯにリンクされたショートカットファイルをタイトルサムネールＤとすれば、これらのタイトルサムネールＡ〜Ｄを同じメニュー画面上に表示することができる（図１のモニタ画面５２ａの表示例参照）。これにより、ユーザは、別々のオブジェクト（ＭＰＥＧ２−ＰＳ、ＭＰＥＧ２−ＴＳが混在するオブジェクト）を同じ画面操作環境でメニュー操作できるようになる。
【００３０】
図３は、この発明の一実施の形態に係るデータ構造を示す。ＲｅｃｏｒｄａｂｌｅあるいはＲｅ−ｗｒｉｔａｂｌｅな情報記憶媒体の代表例として、ＤＶＤディスク（波長６５０ｎｍ前後の赤色レーザあるいは波長４０５ｎｍ以下の青紫ないし青色レーザを用いた、単記録層または複数記録層の、ＤＶＤ±Ｒ、ＤＶＤ±ＲＷ、ＤＶＤ−ＲＡＭ等）１００がある。このディスク１００は、図３に示すように、ファイルシステムが入っているボリューム／ファイル構造情報領域１１１とデータファイルを実際に記録するデータ領域１１２を含んで構成されている。上記ファイルシステムは、どのファイルがどこに記録されているかを示す情報で構成されている。
【００３１】
データ領域１１２は、一般のコンピュータが記録する領域１２０、１２２と、オーディオビデオデータ（ＡＶデータ）を記録する領域１２１を含んでいる。ＡＶデータ記録領域１２１は、ＡＶデータの管理をするためのビデオマネージャファイル（ＶＭＧまたはＨＤＶＲ＿ＭＧ）があるＡＶデータ管理情報領域１３０と、ＤＶＤ−Ｖｉｄｅｏ（ＲＯＭ  Ｖｉｄｅｏ）規格に準じたオブジェクトデータのファイルが記録されるＲＯＭ＿Ｖｉｄｅｏオブジェクト群記録領域１３１と、ビデオレコーディング（ＶＲ）規格に準じたオブジェクトデータ（ＥＳＯＢＳ：Ｅｘｔｅｎｄｅｄ  Ｖｉｄｅｏ  Ｏｂｊｅｃｔ  Ｓｅｔ）のファイル（ＶＲＯファイル）が記録されるＶＲオブジェクト群記録領域１３２と、デジタル放送に対応したオブジェクトが記録されているストリームオブジェクトデータ（ＥＳＯＢＳ：Ｅｘｔｅｎｄｅｄ  Ｓｔｒｅａｍ  Ｏｂｊｅｃｔ  Ｓｅｔ）ファイル（ＳＲＯファイル）が記録される記録領域１３３を含んで構成されている。なお、ＳＲＯファイルのためのレコーディング規格は、適宜、ストリームレコーディング（ＳＲ）規格と表記する。
【００３２】
図４は、この発明の一実施の形態に係る管理情報（ＨＤＶＲ＿ＭＧ）の構成例を説明する図である。管理情報であるＨＤＶＲ＿ＭＧファイルは、先頭から順に、高精細ビデオレコーディングマネージャ（ＨＤＶＲ＿ＭＧＩ）と、ムービーＡＶファイル情報テーブル（Ｍ＿ＡＶＦＩＴ）と、ストリームファイル情報テーブル（ＳＴＲ＿ＦＩＴ）と、オリジナルプログラムチェーン情報（ＯＲＧ＿ＰＧＣＩ）と、ユーザ定義プログラムチェーン情報テーブル（ＵＤ＿ＰＧＣＩＴ）と、テキストデータマネージャ（ＴＸＴＤＴ＿ＭＧ）と、製造業者情報テーブル（ＭＮＦＩＴ）等を適宜含んで構成されている。ＭＰＥＧ２−ＴＳのオブジェクト（ＳＲＯファイル）はＳＴＲ＿ＦＩＴにより管理され、ＭＰＥＧ２−ＰＳのオブジェクト（ＶＲＯファイル）はＭ＿ＡＶＦＩＴにより管理される。
【００３３】
Ｍ＿ＡＶＦＩＴは、先頭から順に、ムービーＡＶファイル情報テーブル情報（Ｍ＿ＡＶＦＩＴＩ）と、１以上のムービービデオオブジェクトストリーム情報（Ｍ＿ＶＯＢ＿ＳＴＩ＃１〜Ｍ＿ＶＯＢ＿ＳＴＩ＃ｎ）と、ムービーＡＶファイル情報（Ｍ＿ＡＶＦＩ）と、ビデオタイムマップテーブル（ＶＴＭＡＰＴ）等を適宜含んで構成されている。ここで、従来のＤＶＤ−ＶＲ規格におけるＭ＿ＡＶＦＩＴはＶＴＭＡＰＴを含まない。そのため、同じＭＰＥＧ２−ＰＳのオブジェクトであっても、その管理情報内のＭ＿ＡＶＦＩＴがＶＴＭＡＰＴを含むか否かで、そのＭＰＥＧ２−ＰＳが従来のＤＶＤ−ＶＲ規格によるものかＨＤ＿ＤＶＤ−ＶＲ規格によるものかを区別できる（オブジェクト情報レベルでなく管理情報レベルでの区別）。
【００３４】
図５は、図４の管理情報（ＨＤＶＲ＿ＭＧ／Ｍ＿ＡＶＦＩＴ）に含まれるＭ＿ＡＶＦＩＴＩ（Ｍｏｖｉｅ  ＡＶ  Ｆｉｌｅ  Ｉｎｆｏｒｍａｔｉｏｎ  Ｔａｂｌｅ  Ｉｎｆｏｒｍａｔｉｏｎ）に格納される情報例を説明する図である。Ｍ＿ＡＶＦＩＴＩは、先頭から順に、Ｍ＿ＡＶＦＩがいくつ存在するかを示す情報（Ｍ＿ＡＶＦＩ＿Ｎｓ）と、Ｍ＿ＶＯＢ＿ＳＴＩがいくつ存在するかを示す情報（Ｍ＿ＶＯＢ＿ＳＴＩ＿Ｎｓ）と、ＨＲ＿ＭＡＮＧＲ．ＩＦＯ（図２）内におけるＭ＿ＡＶＦＩＴの終了アドレス情報（Ｍ＿ＡＶＦＩＴ＿ＥＡ）等を適宜含んで構成されている。
【００３５】
図６は、図４の管理情報（ＨＤＶＲ＿ＭＧ／Ｍ＿ＡＶＦＩＴ）に含まれるＭ＿ＶＯＢ＿ＳＴＩ（Ｍｏｖｉｅ  ＶＯＢ  Ｓｔｒｅａｍ  Ｉｎｆｏｒｍａｔｉｏｎ）各々に格納される情報例を説明する図である。は、先頭から順に、ビデオ属性情報（Ｖ＿ＡＴＲ）と、オーディオストリームがいくつ存在するかを示す情報（ＡＳＴ＿Ｎｓ）と、副映像ストリームがいくつ存在するかを示す情報（ＳＰＳＴ＿Ｎｓ）と、ストリーム＃０のオーディオ属性情報（Ａ＿ＡＴＲ０）と、ストリーム＃１のオーディオ属性情報（Ａ＿ＡＴＲ１）と、副映像のカラーパレット情報（ＳＰ＿ＰＬＴ）等を適宜含んで構成されている。
【００３６】
図７は、図６のＭ＿ＶＯＢ＿ＳＴＩに含まれるビデオ属性情報（Ｖ＿ＡＴＲ）に格納される情報例を説明する図である。この情報例は、ＤＶＤ−ＶＲ規格には存在せずＨＤ＿ＤＶＤ−ＶＲ規格の場合にだけ存在する情報を含んでいる。Ｖ＿ＡＴＲは、ｂ３１位置からｂ０位置に向かって順に、ビデオ圧縮モード情報（Ｖｉｄｅｏ  ｃｏｍｐｒｅｓｓｉｏｎ  ｍｏｄｅ）と、ＴＶシステム情報（ＴＶ  ｓｙｓｔｅｍ）と、アスペクト比情報（Ａｓｐｅｃｔ  ｒａｔｉｏ）と、ライン２１切替情報（ｌｉｎｅ２１＿ｓｗｉｔｃｈ＿１，  ｌｉｎｅ２１＿ｓｗｉｔｃｈ＿２）と、ソースピクチャプログレッシブモードの情報（Ｓｏｕｒｃｅ  ｐｉｃｔｕｒｅ  ｐｒｏｇｒｅｓｓｉｖｅ  ｍｏｄｅ）と、ソースピクチャ解像度の情報（Ｓｏｕｒｃｅ  ｐｉｃｔｕｒｅ  ｒｅｓｏｌｕｔｉｏｎ）と、アプリケーションフラグ情報（Ａｐｐｌｉｃａｔｉｏｎ  Ｆｌａｇ）等を適宜含んで構成されている。
【００３７】
ここで、ＨＤ＿ＤＶＤ−ＶＲ規格の場合は、Ｖｉｄｅｏ  ｃｏｍｐｒｅｓｓｉｏｎ  ｍｏｄｅが、ＭＰＥＧ４−ＡＶＣであることを示す情報（０１０ｂ）またはＶＣ−１であることを示す情報（０１１ｂ）を含むことができる。ＭＰＥＧ４−ＡＶＣもＶＣ−１もＤＶＤ−ＶＲ規格にはないビデオ圧縮モードなので、同じＭＰＥＧ２−ＰＳのオブジェクトであっても、Ｖｉｄｅｏ  ｃｏｍｐｒｅｓｓｉｏｎ  ｍｏｄｅがＭＰＥＧ４−ＡＶＣまたはＶＣ−１を示す情報（０１０ｂまたは０１１ｂ）を含むか否かで、そのＭＰＥＧ２−ＰＳが従来のＤＶＤ−ＶＲ規格によるものかＨＤ＿ＤＶＤ−ＶＲ規格によるものかを区別できる（オブジェクト情報レベルでなく管理情報レベルでの区別）。
【００３８】
また、ＨＤ＿ＤＶＤ−ＶＲ規格の場合は、ＴＶ  ｓｙｓｔｅｍが、６０Ｈｚビデオシステム用拡張ビデオフォーマット（ＮＴＳＣフォーマットにダウンコンバートできるもの）であることを示す情報（０１０ｂ）または５０Ｈｚビデオシステム用拡張ビデオフォーマット（ＰＡＬフォーマットにダウンコンバートできるもの）であることを示す情報（０１１ｂ）を含むことができる。６０Ｈｚビデオシステム用拡張ビデオフォーマットも５０Ｈｚビデオシステム用拡張ビデオフォーマットもＤＶＤ−ＶＲ規格にはないＴＶ  ｓｙｓｔｅｍなので、同じＭＰＥＧ２−ＰＳのオブジェクトであっても、ＴＶ  ｓｙｓｔｅｍが６０Ｈｚ／５０Ｈｚビデオシステム用拡張ビデオフォーマットを示す情報（０１０ｂまたは０１１ｂ）を含むか否かで、そのＭＰＥＧ２−ＰＳが従来のＤＶＤ−ＶＲ規格によるものかＨＤ＿ＤＶＤ−ＶＲ規格によるものかを区別できる（オブジェクト情報レベルでなく管理情報レベルでの区別）。
【００３９】
また、ＨＤ＿ＤＶＤ−ＶＲ規格の場合は、Ｓｏｕｒｃｅ  ｐｉｃｔｕｒｅ  ｐｒｏｇｒｅｓｓｉｖｅ  ｍｏｄｅ（Ｓｏｕｒｃｅ  ｐｉｃｔｕｒｅがインターレース画像なのかプログレッシブ画像なのかを示す情報）を含むことができる。Ｓｏｕｒｃｅ  ｐｉｃｔｕｒｅ  ｐｒｏｇｒｅｓｓｉｖｅ  ｍｏｄｅはＤＶＤ−ＶＲ規格にないモードなので、同じＭＰＥＧ２−ＰＳのオブジェクトであっても、Ｓｏｕｒｃｅ  ｐｉｃｔｕｒｅ  ｐｒｏｇｒｅｓｓｉｖｅ  ｍｏｄｅを示す情報を含むか否かで、そのＭＰＥＧ２−ＰＳが従来のＤＶＤ−ＶＲ規格によるものかＨＤ＿ＤＶＤ−ＶＲ規格によるものかを区別できる（オブジェクト情報レベルでなく管理情報レベルでの区別）。
【００４０】
さらに、ＨＤ＿ＤＶＤ−ＶＲ規格の場合は、Ｓｏｕｒｃｅ  ｐｉｃｔｕｒｅ  ｒｅｓｏｌｕｔｉｏｎが、高精細または高解像度（１２８０ｘ７２０〜１９２０ｘ１０８０）であることを示す情報（１０００ｂ〜１１００ｂ）を含むことができる。高精細または高解像度（１２８０ｘ７２０〜１９２０ｘ１０８０）はＤＶＤ−ＶＲ規格にない解像度なので、同じＭＰＥＧ２−ＰＳのオブジェクトであっても、Ｓｏｕｒｃｅ  ｐｉｃｔｕｒｅ  ｒｅｓｏｌｕｔｉｏｎが高精細または高解像度を示す情報を含むか否かで、そのＭＰＥＧ２−ＰＳが従来のＤＶＤ−ＶＲ規格によるものかＨＤ＿ＤＶＤ−ＶＲ規格によるものかを区別できる（オブジェクト情報レベルでなく管理情報レベルでの区別）。
【００４１】
図８は、図６のＭ＿ＶＯＢ＿ＳＴＩに含まれる第１のオーディオ属性情報（Ａ＿ＡＴＲ０）に格納される情報例を説明する図である。この情報例は、ＤＶＤ−ＶＲ規格には存在せずＨＤ＿ＤＶＤ−ＶＲ規格の場合にだけ存在する情報を含んでいる。Ａ＿ＡＴＲ０は、ｂ３１位置からｂ０位置に向かって順に、オーディオコーディングモード情報（Ａｕｄｉｏ  ｃｏｄｉｎｇ  ｍｏｄｅ）と、サンプリング周波数情報（ｆｓ）と、量子化／ダイナミックレンジ制御情報（Ｑｕａｎｔｉｚａｔｉｏｎ／ＤＲＣ）と、オーディオチャネル数情報（Ｎｕｍｂｅｒ  ｏｆ  Ａｕｄｉｏ  ｃｈａｎｎｅｌｓ）と、アプリケーションフラグ情報（Ａｐｐｌｉｃａｔｉｏｎ  Ｆｌａｇ）と、ビットレート情報（Ｂｉｔｒａｔｅ）等を適宜含んで構成されている。Ａｐｐｌｉｃａｔｉｏｎ  Ｆｌａｇが００ｂのときは、該当オーディオストリームが、Ｎｕｍｂｅｒ  ｏｆ  Ａｕｄｉｏ  ｃｈａｎｎｅｌｓで規定されるチャネルモードのオーディオデータを含むことを示す。また、Ａｐｐｌｉｃａｔｉｏｎ  Ｆｌａｇが０１ｂのときは、該当オーディオストリームが、マルチチャネルモードまたはモノラルモードまたはデュアルモノラルモードまたはステレオモードのオーディオデータを含むことを示す。
【００４２】
ここで、ＨＤ＿ＤＶＤ−ＶＲ規格の場合は、Ａｕｄｉｏ  ｃｏｄｉｎｇ  ｍｏｄｅを記述するのに６ビットが割り当てられている。一方、ＤＶＤ−ＶＲ規格の場合は、Ａｕｄｉｏ  ｃｏｄｉｎｇ  ｍｏｄｅが３ビットで記述される。従い、同じＭＰＥＧ２−ＰＳのオブジェクトであっても、Ａ＿ＡＴＲ０のＡｕｄｉｏ  ｃｏｄｉｎｇ  ｍｏｄｅを記述するのに何ビット割り当てられているのかを調べることで、そのＭＰＥＧ２−ＰＳが従来のＤＶＤ−ＶＲ規格によるものかＨＤ＿ＤＶＤ−ＶＲ規格によるものかを区別できる（オブジェクト情報レベルでなく管理情報レベルでの区別）。
【００４３】
図９は、図６のＭ＿ＶＯＢ＿ＳＴＩに含まれる第２のオーディオ属性情報（Ａ＿ＡＴＲ１）に格納される情報例を示す。この情報例は、ＤＶＤ−ＶＲ規格には存在せずＨＤ＿ＤＶＤ−ＶＲ規格の場合にだけ存在する情報を含んでいる。Ａ＿ＡＴＲ０の場合と同様に、Ａ＿ＡＴＲ１は、ｂ３１位置からｂ０位置に向かって順に、オーディオコーディングモード情報（Ａｕｄｉｏ  ｃｏｄｉｎｇ  ｍｏｄｅ）と、サンプリング周波数情報（ｆｓ）と、量子化／ダイナミックレンジ制御情報（Ｑｕａｎｔｉｚａｔｉｏｎ／ＤＲＣ）と、オーディオチャネル数情報（Ｎｕｍｂｅｒ  ｏｆ  Ａｕｄｉｏ  ｃｈａｎｎｅｌｓ）と、アプリケーションフラグ情報（Ａｐｐｌｉｃａｔｉｏｎ  Ｆｌａｇ）と、ビットレート情報（Ｂｉｔｒａｔｅ）等を適宜含んで構成されている。
【００４４】
ここで、ＨＤ＿ＤＶＤ−ＶＲ規格の場合はＡｕｄｉｏ  ｃｏｄｉｎｇ  ｍｏｄｅを記述するのに６ビットが割り当てられているが、ＤＶＤ−ＶＲ規格の場合はＡｕｄｉｏ  ｃｏｄｉｎｇ  ｍｏｄｅが３ビットで記述される。従って、同じＭＰＥＧ２−ＰＳのオブジェクトであっても、Ａ＿ＡＴＲ１のＡｕｄｉｏ  ｃｏｄｉｎｇ  ｍｏｄｅを記述するのに何ビット割り当てられているのかを調べることで、そのＭＰＥＧ２−ＰＳが従来のＤＶＤ−ＶＲ規格によるものかＨＤ＿ＤＶＤ−ＶＲ規格によるものかを区別できる（オブジェクト情報レベルでなく管理情報レベルでの区別）。
【００４５】
図１０は、図３のＶＲオブジェクトを構成するデータ単位（ＥＶＯＢＵ）のパック構造例を説明する図である。例えば図３（ｆ）のＥＶＯＢＵには、先頭のＲＤＩパックに続いて、種々なパック（ビデオパック、オーディオパック、副映像パック、一般制御情報パック等）が含まれる。各パックの構造は図９のようになっており、そのＰａｃｋ  ｈｅａｄｅｒ内にｐｒｏｇｒａｍ＿ｍｕｘ＿ｒａｔｅが含まれている。
【００４６】
図１１は、図１０のＰａｃｋ  ｈｅａｄｅｒに含まれる情報例を説明する図である。この情報例は、ＤＶＤ−ＶＲ規格には存在せずＨＤ＿ＤＶＤ−ＶＲ規格の場合にだけ存在する情報（ＨＤ＿ＤＶＤ−ＶＲ規格で認められる高ビットレート３０．２４Ｍｂｐｓを含むｐｒｏｇｒａｍ＿ｍｕｘ＿ｒａｔｅ）を含んでいる。ＨＤ＿ＤＶＤ−ＶＲ規格の下で１０．０８Ｍｂｐｓ以下のレートでＭＰＥＧ２−ＰＳのエンコードが行われたときは、このＭＰＥＧ２−ＰＳ  のストリーム情報を含むパックのヘッダ内ｐｒｏｇｒａｍ＿ｍｕｘ＿ｒａｔｅには、１０．０８Ｍｂｐｓを示す“０１８９Ｃ３”が記述される。
【００４７】
一方、ＨＤ＿ＤＶＤ−ＶＲ規格の下で１０．０８Ｍｂｐｓを超えるレートでＭＰＥＧ２−ＰＳのエンコードが行われたときは、このＭＰＥＧ２−ＰＳ  のストリーム情報を含むパックのヘッダ内ｐｒｏｇｒａｍ＿ｍｕｘ＿ｒａｔｅには、３０．２４Ｍｂｐｓを示す“０４９Ｄ４３ｈ”が記述される。このｐｒｏｇｒａｍ＿ｍｕｘ＿ｒａｔｅの記述内容により、そのＭＰＥＧ２−ＰＳがＨＤ＿ＤＶＤ−ＶＲ規格内でＤＶＤ−ＶＲ規格に適合するものか（ｐｒｏｇｒａｍ＿ｍｕｘ＿ｒａｔｅ  ＝  １０．０８Ｍｂｐｓを示す“０１８９Ｃ３”）ＨＤ＿ＤＶＤ−ＶＲ規格によるものか（ｐｒｏｇｒａｍ＿ｍｕｘ＿ｒａｔｅ  ＝  ３０．２４Ｍｂｐｓを示す“０４９Ｄ４３ｈ”）を区別できる（管理情報レベルでなくオブジェクト情報レベルでの区別）。
【００４８】
図１２は、図１０のパックの一部として存在するビデオパケットのヘッダに含まれる情報の一例（ＭＰＥＧ１、ＭＰＥＧ２、またはＭＰＥＧ４−ＡＶＣの場合）を説明する図である。この情報例は、ＤＶＤ−ＶＲ規格には存在せずＨＤ＿ＤＶＤ−ＶＲ規格の場合にだけ存在する情報を含んでいる。ＭＰＥＧ１、ＭＰＥＧ２、またはＭＰＥＧ４−ＡＶＣのビデオパケットヘッダには、ｓｔｒｅａｍ＿ｉｄ、ＰＥＳ＿ｓｃｒａｍｂｌｉｎｇ＿ｃｏｎｔｒｏｌ、Ｐ−ＳＴＤ＿ｂｕｆｆｅｒ＿ｓｉｚｅ等の情報が含まれている。
【００４９】
ＨＤ＿ＤＶＤ−ＶＲ規格の場合では、ＰＥＳ＿ｓｃｒａｍｂｌｉｎｇ＿ｃｏｎｔｒｏｌには該当パックが暗号化されたパック（Ｅｎｃｒｙｐｔｅｄ  Ｐａｃｋ）であるか否かを示す情報が含まれている。従って、同じＭＰＥＧ２−ＰＳのオブジェクトであっても、Ｅｎｃｒｙｐｔｅｄ  Ｐａｃｋであるか否かを示す情報の有無により、そのＭＰＥＧ２−ＰＳがＨＤ＿ＤＶＤ−ＶＲ規格内でＤＶＤ−ＶＲ規格に適合するものかＨＤ＿ＤＶＤ−ＶＲ規格によるものかを区別できる。
【００５０】
また、ＨＤ＿ＤＶＤ−ＶＲ規格の場合では、ｓｔｒｅａｍ＿ｉｄに、ＭＰＥＧ４−ＡＶＣであるか否かを示す情報を記述できるようになっている。従い、同じＭＰＥＧ２−ＰＳのオブジェクトであっても、ｓｔｒｅａｍ＿ｉｄがＭＰＥＧ４−ＡＶＣを示す記述を含んでいるか否かにより、そのＭＰＥＧ２−ＰＳがＨＤ＿ＤＶＤ−ＶＲ規格内でＤＶＤ−ＶＲ規格に適合するものかＨＤ＿ＤＶＤ−ＶＲ規格によるものかを区別できる。
【００５１】
さらに、ＨＤ＿ＤＶＤ−ＶＲ規格の場合では、Ｐ−ＳＴＤ＿ｂｕｆｆｅｒ＿ｓｉｚｅに、ＭＰＥＧ４−ＡＶＣの場合に用いるバッファサイズ（標準で９４６１７６バイト、拡張で１８５１３９２バイト）を記述できるようになっている。従い、同じＭＰＥＧ２−ＰＳのオブジェクトであっても、Ｐ−ＳＴＤ＿ｂｕｆｆｅｒ＿ｓｉｚｅがＭＰＥＧ４−ＡＶＣ用のバッファサイズを示す記述を含んでいるか否かにより、そのＭＰＥＧ２−ＰＳがＨＤ＿ＤＶＤ−ＶＲ規格内でＤＶＤ−ＶＲ規格に適合するものかＨＤ＿ＤＶＤ−ＶＲ規格によるものかを区別できる。
【００５２】
図１３は、図１０のパックの一部として存在するビデオパケットのヘッダに含まれる情報の他例（ＶＣ−１の場合）を示す。この情報例は、ＤＶＤ−ＶＲ規格には存在せずＨＤ＿ＤＶＤ−ＶＲ規格の場合にだけ存在する情報を含んでいる。ＶＣ−１のビデオパケットヘッダには、ｓｔｒｅａｍ＿ｉｄ、ＰＥＳ＿ｓｃｒａｍｂｌｉｎｇ＿ｃｏｎｔｒｏｌ、Ｐ−ＳＴＤ＿ｂｕｆｆｅｒ＿ｓｉｚｅ等の情報が含まれている。
【００５３】
ＨＤ＿ＤＶＤ−ＶＲ規格の場合では、ＶＣ−１の場合でも、ＰＥＳ＿ｓｃｒａｍｂｌｉｎｇ＿ｃｏｎｔｒｏｌには該当パックが暗号化されたパック（Ｅｎｃｒｙｐｔｅｄ  Ｐａｃｋ）であるか否かを示す情報が含まれている。従い、同じＭＰＥＧ２−ＰＳのオブジェクトであっても、Ｅｎｃｒｙｐｔｅｄ  Ｐａｃｋであるか否かを示す情報の有無により、そのＭＰＥＧ２−ＰＳがＨＤ＿ＤＶＤ−ＶＲ規格内でＤＶＤ−ＶＲ規格に適合するものかＨＤ＿ＤＶＤ−ＶＲ規格によるものかを区別できる。
【００５４】
また、ＨＤ＿ＤＶＤ−ＶＲ規格の場合では、ｓｔｒｅａｍ＿ｉｄに、ＶＣ−１であるか否かを示す情報を記述できるようになっている。従い、同じＭＰＥＧ２−ＰＳのオブジェクトであっても、ｓｔｒｅａｍ＿ｉｄがＶＣ−１を示す記述を含んでいるか否かにより、そのＭＰＥＧ２−ＰＳがＨＤ＿ＤＶＤ−ＶＲ規格内でＤＶＤ−ＶＲ規格に適合するものかＨＤ＿ＤＶＤ−ＶＲ規格によるものかを区別できる（管理情報レベルでなくオブジェクト情報レベルでの区別）。
【００５５】
さらに、ＨＤ＿ＤＶＤ−ＶＲ規格の場合では、ＶＣ−１の場合でも、Ｐ−ＳＴＤ＿ｂｕｆｆｅｒ＿ｓｉｚｅに、ＶＣ−１の場合に用いるバッファサイズ（標準で９４６１７６バイト、拡張で１８５１３９２バイト）を記述できるようになっている。従い、同じＭＰＥＧ２−ＰＳのオブジェクトであっても、Ｐ−ＳＴＤ＿ｂｕｆｆｅｒ＿ｓｉｚｅがＶＣ−１用のバッファサイズを示す記述を含んでいるか否かにより、そのＭＰＥＧ２−ＰＳがＨＤ＿ＤＶＤ−ＶＲ規格内でＤＶＤ−ＶＲ規格に適合するものかＨＤ＿ＤＶＤ−ＶＲ規格によるものかを区別できる（管理情報レベルでなくオブジェクト情報レベルでの区別）。
【００５６】
図１４は、図３のＶＲオブジェクトを構成するデータ単位（ＥＶＯＢＵ）の先頭に配置されるＲＤＩ  パック（ＲＤＩ＿ＰＣＫ）の構造例を示す。例えば図３（ｆ）の各ＥＶＯＢＵには、先頭にＲＤＩパックが配置されている。ＲＤＩパックは、パックヘッダとシステムヘッダとＧｅｎｅｒａｌ  Ｃｏｎｔｒｏｌ  Ｉｎｆｏｒｍａｔｉｏｎパケット（ＧＣＩ＿ＰＫＴ）とＲｅａｌ−ｔｉｍｅ  Ｄａｔａ  Ｉｎｆｏｒｍａｔｉｏｎパケット（ＲＤＩ＿ＰＫＴ）、そして末尾に適宜パディングパケットを含んで構成されている。
【００５７】
図１５は、図１４のＲＤＩパックのシステムヘッダに含まれる情報例を示す。この情報例は、ＤＶＤ−ＶＲ規格には存在せずＨＤ＿ＤＶＤ−ＶＲ規格の場合にだけ存在する情報を含んでいる。このＲＤＩパックは、ＨＤ＿ＤＶＤ−ＶＲ規格での上限であるｍｕｘ＿ｒａｔｅ  ＝  ３０．２４Ｍｂｐｓ、あるいはＨＤ＿ＤＶＤ−ＶＲ規格内でＤＶＤ−ＶＲ規格に適合するｍｕｘ＿ｒａｔｅ  ＝  １０．０８Ｍｂｐｓのいずれかを示すｒａｔｅ＿ｂｏｕｎｄを含んで構成されている。この“ｒａｔｅ＿ｂｏｕｎｄ”の記述内容により、そのＭＰＥＧ２−ＰＳがＨＤ＿ＤＶＤ−ＶＲ規格内でＤＶＤ−ＶＲ規格に適合するものかＨＤ＿ＤＶＤ−ＶＲ規格によるものかを区別できる（管理情報レベルでなくオブジェクト情報レベルでの区別）。
【００５８】
次に、図１６を参照して、ディスクドライブユニットにセットされた（ユーザにより用意された）記録媒体の規格に合わせて最適なフォーマットで、データを記録することのできる画像および音楽記録方法の一例を説明する。なお、ここでは、図１に示した録画再生装置１に例に、ＤＶＤ−ＶＲ規格フォーマット（ＤＶＤ  Ｖｉｄｅｏ  Ｒｅｃｏｒｄｉｎｇ  Ｆｏｒｍａｔ）とＨＤ＿ＤＶＤ−ＶＲ規格フォーマット（ＨＤ＿ＤＶＤ  Ｖｉｄｅｏ  Ｒｅｃｏｒｄｉｎｇ  Ｆｏｒｍａｔ）の両方のフォーマットでデータの記録と再生が可能なＤＶＤレコーダにおいて、両フォーマット間で再エンコードを必要としない（換言すると、記録媒体が対応するフォーマットを検出して、そのフォーマットに合わせて）データを記録する方法について説明する。
【００５９】
図示しないリモコン等を介して、ユーザから、ディスクドライブユニット２４にセットされた光ディスクすなわちＨＤ  ＤＶＤ規格の光ディスク１００あるいはＤＶＤ規格の光ディスク１０２への録画が指示される（Ｓ１）ことで、光ディスクの規格（種別）および対応フォーマットが検出される（Ｓ２）。
【００６０】
ステップＳ２において検出された光ディスクの規格がＨＤ  ＤＶＤである場合（Ｓ２−ＹＥＳ）、ＭＰＥＧ  Ｅｎｃｏｄｅｒ２０からは、先に説明した［イ］に従って、ＨＤ＿ＤＶＤ−ＶＲモードで、ＭＰＥＧ２−ＰＳの高レートエンコード出力が出力される。このとき、図１７に示したリニアＰＣＭのパケットヘッダの内容のうち「ｓｕｂ＿ｓｔｒｅａｍ＿ｉｄ」の記述に、先に説明した［１］に従って、「１０１０１０００ｂ」あるいは「１０１０１００１ｂ」が記述される（Ｓ３）。
【００６１】
また、図１９に「＊１」で示した、Ａｕｄｉｏ  ｐａｃｋｅｔのリニアＰＣＭの「Ｐ−ＳＴＤ＿ｂｕｆｆｅｒ＿ｓｉｚｅ」に『３９２』が記述される。なお、図示しないが「Ｓｕｂ−ｐｉｃｔｕｒｅ  Ｐａｃｋｅｔ（図１０に示すデータ  ｐａｃｋ  内」）の「Ｐ−ＳＴＤ＿ｂｕｆｆｅｒ＿ｓｉｚｅ」にも同様に、『３９２』が記述される（Ｓ４）。
【００６２】
また、ＨＤ  ＤＶＤ規格に従い、図１４に示したように、「ＧＣＩ」が追加された「ＲＤＩ」が用意される（Ｓ５）。
【００６３】
一方、ステップＳ２において検出された光ディスクの規格がＤＶＤである場合（Ｓ２−ＮＯ）、ＭＰＥＧ  Ｅｎｃｏｄｅｒ  ２０からは、先に説明した［ア］または［ウ］に従って、ＤＶＤ−ＶＲモードもしくはＨＤ＿ＤＶＤ−ＶＲ規格内で、ＭＰＥＧ２−ＰＳの低レートエンコードでエンコードされたエンコード出力が出力される。このとき、図１７に示したリニアＰＣＭのパケットヘッダの内容のうち「ｓｕｂ＿ｓｔｒｅａｍ＿ｉｄ」の記述に、先に説明した［１］に従って、「１０１０００００ｂ」あるいは「１０１００００１ｂ」が記述される（Ｓ６）。
【００６４】
また、図１９に「＊１」で示した、Ａｕｄｉｏ  ｐａｃｋｅｔ  のリニアＰＣＭの「Ｐ−ＳＴＤ＿ｂｕｆｆｅｒ＿ｓｉｚｅ」に『５８』が記述される。なお、図示しないが「Ｓｕｂ−ｐｉｃｔｕｒｅ  Ｐａｃｋｅｔ（図１０に示すデータ  ｐａｃｋ  内」）の「Ｐ−ＳＴＤ＿ｂｕｆｆｅｒ＿ｓｉｚｅ」にも同様に、『５８』が記述される（Ｓ７）。
【００６５】
また、ＤＶＤ規格に従い、図１８に示したように、（「ＧＣＩ」の無い）「ＲＤＩ」が用意される（Ｓ８）。
【００６６】
なお、ＨＤＤ１０４への新規の録画（記録）については、ユーザよるＨＤＶＲあるいはＶＲの指示（選択）に従って、ステップＳ２に示した検出ステップに換えて、直接、ステップＳ３またはステップＳ６から実行される。
【００６７】
図２０は、図１に示したＨＤ  ＤＶＤディスクおよびＤＶＤディスクに記録可能な録画再生装置１において、挿入されたメディアに対して、ＨＤ  ＤＶＤ  Ｖｉｄｅｏ  Ｒｅｃｏｒｄｉｎｇで記録するモード（以下ＨＤＶＲモード）、またはＤＶＤ  Ｖｉｄｅｏ  Ｒｅｃｏｒｄｉｎｇで記録するモード（ＶＲモード）の何れかで記録されたデータを、ＨＤＶＲ（モード）とＶＲ（モード）の間で、再エンコードすることなくダビング（ダビングが許可されていないコンテンツについては「ムーブ」）する方法の一例を説明する。
【００６８】
図示しないリモコン等を介して、ユーザから、ディスクドライブユニット２４にセットされた光ディスクすなわちＨＤ  ＤＶＤ規格の光ディスク１００あるいはＤＶＤ規格の光ディスク１０２への録画（ダビングまたはＨＤＶＲモードである場合には「ムーブ」）が指示される（Ｓ２１）ことで、光ディスクの規格（種別）および対応フォーマットが検出される（Ｓ２２）。
【００６９】
ステップＳ２２において検出された光ディスクの規格がＨＤ  ＤＶＤである場合（Ｓ２２１−ＹＥＳ）、ＨＤＤ１０４からディスクドライブユニット２４に、先に説明した［イ］に従って、ＨＤ＿ＤＶＤ−ＶＲモードで、ＭＰＥＧ２−ＰＳの高レートエンコード出力が出力される。なお、図１７に示したリニアＰＣＭのパケットヘッダの記述内容であるｓｕｂ＿ｓｔｒｅａｍ＿ｉｄの記述が、“１０１０００００ｂ”あるいは“１０１００００１ｂ”から“１０１０１０００ｂ”あるいは“１０１０１００１ｂ”に書き換えられるとともに、データが転送（ダビング）される（Ｓ２３）。また、図１９に「＊１」で示した、Ａｕｄｉｏ  ｐａｃｋｅｔ  のリニアＰＣＭの「Ｐ−ＳＴＤ＿ｂｕｆｆｅｒ＿ｓｉｚｅ」の記述が、『５８』から『３９２』に書き換えられる。なお、図示しないが「Ｓｕｂ−ｐｉｃｔｕｒｅ  Ｐａｃｋｅｔ（図１０に示すデータ  ｐａｃｋ  内」）の「Ｐ−ＳＴＤ＿ｂｕｆｆｅｒ＿ｓｉｚｅ」にも同様に、『３９２』に書き換えられる（Ｓ２４）。また、ＤＶＤ規格に従い、図１８に示した「ＲＤＩ  ＰＫＴ」部分に「ＧＣＩ  ＰＫＴ」部分が追加（「ＲＤＩ」が「ＧＣＩ」＋「ＲＤＩ」に書き換え）されて図１４に示した構造が与えられる（Ｓ２５）。
【００７０】
一方、ステップＳ２２において検出された光ディスクの規格がＤＶＤである場合（Ｓ２２−ＮＯ）、ＨＤＤ１０４から出力されようとしているデータがＤＶＤ規格のディスクに記録可能である場合、すなわち先に説明した［ア］または［ウ］に従ってＤＶＤ−ＶＲモードもしくはＨＤ＿ＤＶＤ−ＶＲ規格内で、ＭＰＥＧ２−ＰＳの低レートエンコードでエンコードされたデータである場合、そのままデータ（映像およびオーディオ信号データ）が供給される（Ｓ２６）。
【００７１】
なお、このようにして記録されたビデオデータおよびオーディオデータは、ＨＤＶＲとＶＲとの間で再エンコードなしのダビング（ダビングが許可されていないコンテンツについては「ムーブ」のみ）が可能である。
【００７２】
なお、ＨＤＶＲ（モード）とＶＲ（モード）の間で再エンコードなしのダビングが許可されるほとんどのケースは、コピーフリーのＶＲタイトルＢのＭＰＥＧ２−ＰＳデータは光ディスク１００または１０２へ高速コピーまたは、レート変換でコピー（等速）またはムーブのみである。また、録画前はコピーワンス（１回コピーのみ許可）のコンテンツをＨＤ＿ＤＶＤ−ＶＲフォーマットでＨＤＤ１０４に録画したタイトルは、２回目の（孫）コピーが禁止されたタイトルである。このコピー禁止のＨＤＶＲタイトルのデータ（ＭＰＥＧ２−ＰＳ以外にＭＰＥＧ４−ＡＶＣやＶＣ１も含まれる）は、高速コピーもレート変換コピーもできないが、所定のコピー管理方式（ＣＰＲＭやＡＡＣＳ等）に対応したディスク１００または１０２へのムーブは可能である。
【００７３】
一方、録画前はコピーワンスであったコンテンツをＭＰＥＧ２−ＴＳでＨＤＤ１０４に録画したタイトルも、２回目のコピーが禁止されたタイトルである。このコピー禁止ＴＳタイトルのデータは、高速コピーもレート変換コピーもできないが、所定のコピー管理方式（ＣＰＲＭやＡＡＣＳ等）に対応したディスク１００あるいは１０２への再エンコードする（デコードと再エンコードを伴う）ムーブは可能である。
【００７４】
以上説明したように、この発明の１つの実施形態を用いることで、ＨＤ  ＤＶＤ  ＶＲとＤＶＤ  ＶＲの両方のディスクに記録ができる録画再生装置において、双方のフォーマットに準拠したＳｔｒｅａｍを録画することができ、かつ、ダビング（またはムーブ）時に、再エンコードなしで、フォーマット変換することできる。
【図面の簡単な説明】
【００７５】
【図１】この発明の一実施の形態に係る記録再生装置（ＨＤ＿ＤＶＤレコーダ）の構成例を説明するブロック図。
【図２】この発明の一実施の形態に係るファイル構造例を説明する概略図。
【図３】この発明の一実施の形態に係るデータ構造例を説明する概略図。
【図４】この発明の一実施の形態に係る管理情報（ＨＤＶＲ＿ＭＧ）の構成例を説明する概略図。
【図５】図４の管理情報（ＨＤＶＲ＿ＭＧ／Ｍ＿ＡＶＦＩＴ）に含まれるＭ＿ＡＶＦＩＴＩ（Ｍｏｖｉｅ  ＡＶ  Ｆｉｌｅ  Ｉｎｆｏｒｍａｔｉｏｎ  Ｔａｂｌｅ  Ｉｎｆｏｒｍａｔｉｏｎ）に格納される情報例を説明する概略図。
【図６】図４の管理情報（ＨＤＶＲ＿ＭＧ／Ｍ＿ＡＶＦＩＴ）に含まれるＭ＿ＶＯＢ＿ＳＴＩ（Ｍｏｖｉｅ  ＶＯＢ  Ｓｔｒｅａｍ  Ｉｎｆｏｒｍａｔｉｏｎ）各々に格納される情報例を説明する概略図。
【図７】図６のＭ＿ＶＯＢ＿ＳＴＩに含まれるビデオ属性情報（Ｖ＿ＡＴＲ）に格納される情報例を説明する概略図。
【図８】図６のＭ＿ＶＯＢ＿ＳＴＩに含まれる第１のオーディオ属性情報（Ａ＿ＡＴＲ０）に格納される情報例を説明する概略図。
【図９】図６のＭ＿ＶＯＢ＿ＳＴＩに含まれる第２のオーディオ属性情報（Ａ＿ＡＴＲ１）に格納される情報例を説明する概略図。
【図１０】図３のＶＲオブジェクトを構成するデータ単位（ＥＶＯＢＵ）のパック構造例を説明する概略図。
【図１１】図１０のパックヘッダに含まれる情報例を説明する概略図。
【図１２】図１０のパックの一部として存在するビデオパケットのヘッダに含まれる情報の一例（ＭＰＥＧ１、ＭＰＥＧ２、またはＭＰＥＧ４−ＡＶＣの場合）を説明する概略図。
【図１３】図１０のパックの一部として存在するビデオパケットのヘッダに含まれる情報の他例（ＶＣ−１の場合）を説明する概略図。
【図１４】図３のＶＲオブジェクトを構成するデータ単位（ＥＶＯＢＵ）の先頭に配置されるＲＤＩパック（ＲＤＩ＿ＰＣＫ）の構造例を説明する概略図。
【図１５】図１４のＲＤＩパックのシステムヘッダに含まれる情報例を説明する概略図。
【図１６】ディスクドライブユニットにセットされた（ユーザにより用意された）記録媒体の規格に合わせて最適なフォーマットで、データを記録することのできる画像および音楽記録方法の一例を説明するフローチャート。
【図１７】リニアＰＣＭのパケットヘッダの内容のうち「ｓｕｂ＿ｓｔｒｅａｍ＿ｉｄ」の記述の一例を説明する概略図。
【図１８】図３のＨＤＶＲオブジェクトを構成するデータ単位（ＥＶＯＢＵ）の先頭に配置されるＲＤＩパック（「ＲＤＩ＿ＰＣＫ」と「ＧＣＩ＿ＰＣＫ」）の構造例を説明する概略図。
【図１９】Ａｕｄｉｏ  ｐａｃｋｅｔ  のリニアＰＣＭのパケットヘッダの記述内容のうちの「Ｐ−ＳＴＤ＿ｂｕｆｆｅｒ＿ｓｉｚｅ」の一例を説明する概略図。
【図２０】図１に示したＨＤ  ＤＶＤディスクおよびＤＶＤディスクに記録可能な録画再生装置１において、挿入されたメディアに対して、ＨＤ  ＤＶＤ  Ｖｉｄｅｏ  Ｒｅｃｏｒｄｉｎｇで記録するモード（以下ＨＤＶＲモード）、またはＤＶＤ  Ｖｉｄｅｏ  Ｒｅｃｏｒｄｉｎｇで記録するモード（ＶＲモード）の何れかで記録されたデータを、ＨＤＶＲ（モード）とＶＲ（モード）の間で、再エンコードすることなくダビング（ダビングが許可されていないコンテンツについては「ムーブ」）する方法の一例を説明するフローチャート。
【符号の説明】
【００７６】
２０…エンコーダ、２４…ディスクドライブユニット、２６…メモリスロット、３０…デコーダ、４０…制御用マイクロプロセサ（ＭＰＵ）、４００…グラフィックユーザインタフェース（ＧＵＩ）表示制御部（ファームウエア）、４０２…エンコードパラメータ検出処理部（ファームウエア）、４０４…高速コピー／高速ダビング処理部（ファームウエア）、４０６…レート変換コピー／レート変換ダビング制御部（ファームウエア）、４０８…記録／再生制御部（管理情報処理部（ファームウエア））、５０…オンスクリーン表示（ＯＳＤ）制御部、５２…モニタ装置、１００…記録媒体（ＨＤ  ＤＶＤ規格の光ディスク）、１０２…記録媒体（ＤＶＤ規格の光ディスク）、１０４…ＨＤＤ（ハードディスクドライブ）、１０６…記録媒体（カードメモリ）。
【図１】
2008005045.tif 000003
【図２】
2008005045.tif 000004
【図３】
2008005045.tif 000005
【図４】
2008005045.tif 000006
【図５】
2008005045.tif 000007
【図６】
2008005045.tif 000008
【図７】
2008005045.tif 000009
【図８】
2008005045.tif 000010
【図９】
2008005045.tif 000011
【図１０】
2008005045.tif 000012
【図１１】
2008005045.tif 000013
【図１２】
2008005045.tif 000014
【図１３】
2008005045.tif 000015
【図１４】
2008005045.tif 000016
【図１５】
2008005045.tif 000017
【図１６】
2008005045.tif 000018
【図１７】
2008005045.tif 000019
【図１８】
2008005045.tif 000020
【図１９】
2008005045.tif 000021
【図２０】
2008005045.tif 000022